(57)【要約】  パッケージは、容器（１０、１１０）および、容器を取り囲む柔軟な多層ラミネートシート材料の包装体（２０、１２０）を備える。包装体は、第一の層、および、第一の層の外側の第二の層を備える。第一の層における第一の切れ目は、容器（１０、１１０）の蓋（１２、１１２）の上にある第一の層の第一の領域を規定する。第二の層における第二の切れ目は、第一の切れ目からオフセットされる。第二の切れ目は、第二の層の第二の領域を規定する。第二の領域は、蓋の上にあり、第二の層が蓋（１２、１１２）を超えて伸長する周縁部（２１、１２１）を備える。第二の層の周縁部（２１、１２１）は、第一の層から分離可能であり、蓋（１２、１１２）を開位置へ持ち上げるために用いることができ、第一の層に対して再封することができる。【選択図】  図９
2018500250.tif 000002
【特許請求の範囲】
【請求項１】
パッケージであって、
本体および蓋を備える容器（前記蓋は、ヒンジによって前記本体に取り付けられて、前記蓋は、前記蓋が接触線に沿って前記本体と合う閉位置と開位置との間で動くことができる）；
前記容器を取り囲む柔軟な多層ラミネートシート材料の包装体
を備え、
前記包装体は：
第一の層；
前記の第一の層の外側の第二の層；
前記の第二の層ではなく前記の第一の層における第一の切れ目（前記の第一の切れ目は、前記蓋の上にある前記の第一の層の第一の領域を規定する）；
前記の第一の層ではなく前記の第二の層における第二の切れ目（ここで、前記の第二の切れ目の少なくとも一部は、前記の第一の切れ目からオフセットされて、前記の第二の切れ目は、前記の第二の層の第二の領域を規定し、ここで、前記の第二の領域は、前記蓋の上にあり、前記の第二の層が前記蓋を超えて伸長する周縁部を備える）；
前記の第一の層および前記の第二の層の前記周縁部の間の再封可能な接着剤；
を備え、
ここで、前記の第二の層の前記周縁部は、前記の第一の層から分離可能であり、前記蓋を前記開位置に持ち上げるために用いることができ、ここで、前記周縁部は前記の第一の層に対して再封され得る、
パッケージ。
【請求項２】
請求項１に記載のパッケージであって、
前記の第一の切れ目は、前記蓋と前記本体との間の前記接触線と並んでいる、
パッケージ。
【請求項３】
請求項１または２に記載のパッケージであって、
前記容器は、前面、後面、および２つの側面を備え、
前記ヒンジは、前記後面に配置されて、
ここで、前記接触線は、前記容器の前記の２つの側面および前記前面に沿って伸長する、
パッケージ。
【請求項４】
請求項３に記載のパッケージであって、
前記の第一の切れ目は、前記容器の前記前面と比べて前記容器の前記側面で、より少ない量で前記の第二の切れ目からオフセットされる、
パッケージ。
【請求項５】
請求項３に記載のパッケージであって、
前記の第一の切れ目は、前記容器の前記側面に、前記の第二の切れ目とともに配置される、
パッケージ。
【請求項６】
請求項１または２に記載のパッケージであって、
前記容器は、前面、後面、２つの側面、および上面を備え、
前記蓋は、前記上面の少なくとも一部および前記容器の前記前面の切開部を含むフラップである、
パッケージ。
【請求項７】
請求項６に記載のパッケージであって、
前記フラップは、前記包装体の前記の第一の領域に接着されて、
前記の第二の層の前記周縁部が持ち上げられた場合に、前記フラップ部分とともに動くことができる、
パッケージ。
【請求項８】
請求項６または７に記載のパッケージであって、
前記ヒンジは、前記上面と前記後面との間の前記容器の縁上に配置される、
パッケージ。
【請求項９】
請求項６から８のいずれか一項に記載のパッケージであって、
前記の第二の切れ目は、前記容器の前記前面および前記上面の前記の第一の切れ目からオフセットされて、前記フラップの外周の周りに周縁領域を提供する、
パッケージ。
【請求項１０】
請求項６から９のいずれか一項に記載のパッケージであって、
前記接触線は、前記上面の側端および前記前面の側端から内部にオフセットされる、
パッケージ。
【請求項１１】
請求項１から１０のいずれか一項に記載のパッケージであって、
前記包装体は、前記容器の前記蓋に付着される、
パッケージ。
【請求項１２】
請求項１から１１のいずれか一項に記載のパッケージであって、
前記包装体は、前記容器の前記本体に付着される、
パッケージ。
【請求項１３】
請求項１から１２のいずれか一項に記載のパッケージであって、
前記の第一の切れ目は、前記の第一の層を弱線に沿って分離するのに開力を必要とする弱線である、
パッケージ。
【請求項１４】
請求項１から１３のいずれか一項に記載のパッケージであって、
前記の第二の切れ目は、前記の第二の層を弱線に沿って分離するのに開力を必要とする弱線である、
パッケージ。
【請求項１５】
請求項１３または１４に記載のパッケージであって、
前記弱線は、ミシン目の入った線、スコア線、ケガキ線、狭間線（ｃｒｅｎｅｌｌａｔｅｄ  ｌｉｎｅ）の１つである、
パッケージ。
【請求項１６】
本体および蓋を備えるタイプの容器の周りにパッケージを形成するための柔軟な多層ラミネートシート材料の包装体であって、
前記蓋は、前記本体にヒンジによって取り付けられて、
前記蓋は、前記蓋が接触線に沿って前記本体に対して置かれている閉位置と開位置との間で動くことができ、
前記包装体は、前記容器を取り囲む柔軟な多層ラミネートシート材料を備え、
前記包装体は、
第一の層；
前記の第一の層の外側の第二の層；
前記の第二の層ではなく前記の第一の層における第一の切れ目（前記の第一の切れ目は、前記蓋の上にある前記の第一の層の第一の領域を規定する）；
前記の第一の層ではなく前記の第二の層における第二の切れ目（ここで、前記の第二の切れ目の少なくとも一部は、前記の第一の切れ目からオフセットされて、前記の第二の切れ目は、前記の第二の層の第二の領域を規定し、ここで、前記の第二の領域は、前記蓋の上にあるように構成されて、前記の第二の層が前記蓋を超えて伸長する周縁部を備える）；
前記の第一の層および前記の第二の層の前記周縁部の間の再封可能な接着剤；
を備え、
ここで、前記の第二の層の前記周縁部は、前記の第一の層から分離可能であり、前記蓋を前記開位置に持ち上げるために用いることができ、ここで、前記周縁部は前記の第一の層に対して再封され得る、
包装体。
【請求項１７】
パッケージを形成する方法であって、
本体および蓋を備える容器を提供するステップ（ここで、前記蓋は、前記本体にヒンジによって取り付けられて、前記蓋は、前記蓋が接触線に沿って前記本体に対して置かれている閉位置と開位置との間で動くことができる）；
前記容器の周りに柔軟な多層ラミネートシート材料の包装体を設けるステップ、
を含み、
前記包装体は：
第一の層；
前記の第一の層の外側の第二の層；
前記の第二の層ではなく前記の第一の層における第一の切れ目（前記の第一の切れ目は、前記蓋の上にある前記の第一の層の第一の領域を規定する）；
前記の第一の層ではなく前記の第二の層における第二の切れ目（ここで、前記の第二の切れ目の少なくとも一部は、第一の切れ目からオフセットされて、前記の第二の切れ目は、前記の第二の層の第二の領域を規定し、ここで、前記の第二の領域は、前記蓋の上にあり、前記の第二の層が前記蓋を超えて伸長する周縁部を備える）；
前記の第一の層および前記の第二の層の前記周縁部の間の再封可能な接着剤；
を備え、
ここで、前記の第二の層の前記周縁部は、前記の第一の層から分離可能であり、前記蓋を前記開位置に持ち上げるために用いることができ、ここで、前記周縁部は前記の第一の層に対して再封され得る、
方法。
【発明の詳細な説明】
【背景技術】
【０００１】
パッケージされた製品は、出来るだけ長いあいだ新鮮であることが望ましい。パッケージされた製品の１つのタイプは、タバコのようなタバコ工業製品である。
【０００２】
人気のタイプのタバコパッケージは、箱およびヒンジ付き蓋がある容器を含む。プラスチックフィルムの包装体が初めに容器の周りに提供される。パッケージの最初の開封後、プラスチックフィルムは捨てられる。このパッケージの不利益は、初めてパッケージが開封された時点で、容器が、湿気に対して保護が弱いことである。
【０００３】
タバコパッケージの別の公知のタイプは、容器の周りにラミネート包装体を備え、蓋がない。タバコへのアクセスは、再封可能なラベルによって達成される。このパッケージの不利益は、ラミネート包装体に加えて別個のラベルが必要であることである。このことは、追加の処理ステップを要する。
【０００４】
代わりとなるパッケージに対する要求が存在する。
【発明の概要】
【発明が解決しようとする課題】
【０００５】
この要約は、以下の詳細な説明にさらに記載される構想の選択を、単純化された形態で紹介するために提供される。この要約は、特許請求の範囲に記載された要旨の重要な特徴または本質的な特徴を特定することを意図せず、特許請求の範囲に記載される要旨の範囲の決定における補助として用いられることも意図しない。
【課題を解決するための手段】
【０００６】
本発明の一態様は：
本体および蓋を備える容器（ここで蓋は、本体にヒンジによって取り付けられて、蓋は、蓋が接触線に沿って本体と合う閉位置と開位置との間で動くことができる）；
容器を取り囲む柔軟な多層ラミネートシート材料の包装体
を備えるパッケージを提供し、
包装体は：
第一の層；
第一の層の外側の第二の層；
第二の層ではなく第一の層における第一の切れ目（第一の切れ目は、蓋の上にある第一の層の第一の領域を規定する）；
第一の層ではなく第二の層における第二の切れ目（ここで、第二の切れ目の少なくとも一部は、第一の切れ目からオフセット（ｏｆｆｓｅｔ  ｆｒｏｍ）されて、第二の切れ目は、第二の層の第二の領域を規定し、ここで、第二の領域は、蓋の上にあり、第二の層が蓋を超えて伸長する周縁部を備える）；
第一の層および第二の層の周縁部の間の再封可能な接着剤；
を備え、
ここで、第二の層の周縁部は、第一の層から分離可能であり、蓋を開位置に持ち上げるために用いることができ、ここで、周縁部は、第一の層に対して再封され得る。
【０００７】
第一の切れ目は、蓋と本体との間の接触線と並んでよい。
【０００８】
容器は、前面、後面、および２つの側面を備えてよく、ヒンジが後面上に配置されて、接触線は、容器の前面および２つの側面に沿って伸長する。
【０００９】
第一の切れ目は、容器の前面と比べて容器の側面で、より少ない量で第二の切れ目からオフセットされてよい。
【００１０】
第一の切れ目は、容器の側面上に、第二の切れ目とともに配置されてよい。
【００１１】
容器は、前面、後面、２つの側面、および上面を備えてよく、蓋は、上面の少なくとも一部および容器の前面の切開部を含むフラップである。
【００１２】
フラップは、包装体の第一の領域に付着されてよく、第二の層の周縁部が持ち上げられた場合に、フラップ部分とともに動くことができる。
【００１３】
ヒンジは、上面と後面との間に、容器の縁上に配置されてよい。
【００１４】
第二の切れ目は、容器の前面および上面の第一の切れ目からオフセットされて、フラップの外周の周りに周縁領域を提供してよい。
【００１５】
接触線は、上面の側端および前面の側端から内部にオフセットされ得る。
【００１６】
包装体は、容器の蓋に付着されてよい。
【００１７】
包装体は、容器の本体に付着されてよい。
【００１８】
第一の切れ目は、第一の層を弱線に沿って分離するのに開力を必要とする弱線であってよい。
【００１９】
第二の切れ目は、第二の層を弱線に沿って分離するのに開力を必要とする弱線であってよい。
【００２０】
弱線は、ミシン目の入った線、スコア線、ケガキ線、狭間線（ｃｒｅｎｅｌｌａｔｅｄ  ｌｉｎｅ）の１つであってよい。
【００２１】
本発明の別の態様は、本体および蓋を備えるタイプの容器の周りにパッケージを形成するための柔軟な多層ラミネートシート材料の包装体を提供し、蓋は、本体にヒンジによって取り付けられて、蓋は、蓋が接触線に沿って本体に対して置かれている閉位置と開位置との間で動くことができ、包装体は、容器を取り囲む柔軟な多層ラミネートシート材料を備え、
包装体は：
第一の層；
第一の層の外側の第二の層；
第二の層ではなく第一の層における第一の切れ目（第一の切れ目は、蓋の上にある第一の層の第一の領域を規定する）；
第一の層ではなく第二の層における第二の切れ目（ここで、第二の切れ目の少なくとも一部は、第一の切れ目からオフセットされて、第二の切れ目は、第二の層の第二の領域を規定し、ここで、第二の領域は、蓋の上にあるように構成されて、第二の層が蓋を超えて伸長する周縁部を備える）；
第一の層および第二の層の周縁部の間の再封可能な接着剤；
を備え、
ここで、第二の層の周縁部は、第一の層から分離可能であり、蓋を開位置に持ち上げるために用いることができ、ここで、周縁部は第一の層に対して再封され得る。
【００２２】
本発明の別態様は：
本体および蓋を備える容器を提供するステップ（蓋は、本体にヒンジによって取り付けられて、蓋は、蓋が接触線に沿って本体に対して置かれている閉位置と開位置との間で動くことができる）；
容器の周りに柔軟な多層ラミネートシート材料の包装体を設けるステップ、
を含むパッケージを提供し、
包装体は：
第一の層；
第一の層の外側の第二の層；
第二の層ではなく第一の層における第一の切れ目（第一の切れ目は、蓋の上にある第一の層の第一の領域を規定する）；
第一の層ではなく第二の層における第二の切れ目（ここで、第二の切れ目の少なくとも一部は、第一の切れ目からオフセットされて、第二の切れ目は、第二の層の第二の領域を規定し、ここで、第二の領域は、蓋の上にあり、第二の層が蓋を超えて伸長する周縁部を備える）；
第一の層および第二の層の周縁部の間の再封可能な接着剤；
を備え、
ここで、第二の層の周縁部は、第一の層から分離可能であり、蓋を開位置に持ち上げるために用いることができ、ここで、周縁部は第一の層に対して再封され得る。
【００２３】
本明細書において、用語「再封可能な接着剤」は、２つの表面が互いに付着するのを可能にし、その表面が非破壊的に互いから分離するのも可能にし、互いに再度付着するのを可能にする接着剤を意味する。再封可能な接着剤の例は、接着剤に圧力をかけることにより接着剤の接着が達成される、剥離可能なＰＳＡのような感圧接着剤（ＰＳＡ）である。
【００２４】
本明細書において、用語「再封される」は、２つの表面が互いに再度留められ得ることを意味する。ある程度の密封が、２つの表面の間に、それらが互いに再度留められた場合に達成され得る。しかしながら、用語「再封される」は、２つの表面が、その後に表面を留めている間、完全に気密の密封を形成することを必要とない。
【００２５】
好ましい特徴は、当業者に明らかであるように、必要に応じて組み合わせてよく、本発明の任意の態様と組み合わせてよい。
【００２６】
本発明の実施態様は、例として、以下の図面に関して説明される。
同様の特徴を示すために、図面を通して共通の参照番号が用いられる。
【図面の簡単な説明】
【００２７】
【図１】パッケージの内部を形成することのできる容器（蓋が空いている）の第一の例を示す。
【図２】パッケージの内部を形成することのできる容器（蓋が空いている）の第一の例を示す。
【図３】図１および図２の容器の周りにラミネート包装体を備えるパッケージを示し、パッケージが開けられていない状態を示す。
【図４】図３のパッケージの開けられた状態を示す。
【図５Ａ】図４のパッケージの再封された状態を示す。
【図５Ｂ】図５Ａを通る横断面を示す。
【図６】パッケージの内部を形成することのできる容器（開）の第二の例を示す。
【図７】パッケージの内部を形成することのできる容器（開）の第二の例を示す。
【図８】図７および図８の容器の周りにラミネート包装体を備えるパッケージを示し、パッケージが開けられていない状態を示す。
【図９】図８のパッケージの開けられた状態を示す。
【図１０】図９のパッケージの再封された状態を示す。
【図１１Ａ】二層ラミネート包装体の例を示す。
【図１１Ｂ】図１１Ａのラミネート包装体の層内の切れ目を示す。
【図１１Ｃ】図１１Ａのラミネート包装体の層内の切れ目を示す。
【図１２Ａ】三層ラミネート包装体の例を示す。
【図１２Ｂ】図１２Ａのラミネート包装体の層内の弱線を示す。
【図１２Ｃ】図１２Ａのラミネート包装体の層内の弱線を示す。
【図１３】ラミネート材料の巻き取り紙を示す。
【図１４】パッケージを形成する方法を示す。
【発明を実施するための形態】
【００２８】
本発明の実施態様を、単に例として以下に説明する。これらの例は、出願人が現在のところ知っている発明を実施するための最も良い方法を示すが、それらは、これを達成することができる唯一の方法ではない。説明は、例を構成および実施するためのステップの順序および例の機能を説明する。しかしながら、同一または同等の機能および順序が、異なる例によって達成され得る。
【００２９】
図１〜図５Ｂは、パッケージの第一の例を示す。図１は、パッケージの内部を形成することのできる容器１０を示す。容器１０は、前面１、後面２、側面３、底４および上面５を有する、直方体としての形状である。容器１０は、第一の容器部分（本体）１１および第二の容器部分（蓋）１２を備える。第二の容器部分１２は、後面２のある程度下方（ｐａｒｔ−ｗａｙ  ｄｏｗｎ）に配置されたヒンジ線１３のあたりで第一の容器部分１１にヒンジによって連結される。使用において、物品（例えばタバコ）は、第一の容器部分１１内に保持される。第二の容器部分１２は、第一の容器部分１１のためのヒンジ付き蓋を形成する。この例では、蓋１２は、容器のフード型部分の形状である。図１は、開位置でのヒンジ付き蓋１２を示す。図２は、閉位置でのヒンジ付き蓋を示す。フレーム８は、第一の容器部分１１に固定される。フレーム８は、アクセス開口部９を規定する。フレーム８は、中身へのアクセスも可能にしながら、容器の中身を保持する。フレーム８は、蓋１２が閉じている場合に摩擦抵抗を与える役割があり、そして、蓋が間違って開くのを防ぐ役割がある。フレーム８は、前面１の内側領域に（例えば接着剤によって）固定することができる。蓋１２は、接触線１４Ａ、１４Ｂに沿って第一の容器部分と合う。閉位置では、蓋１２は、接触線１４Ａ、１４Ｂに沿って本体１１に対して境を接する。接触線１４Ａの部分は、前面１に沿って伸長する。別の部分の接触線１４Ｂは、側面３のそれぞれに沿って、１４Ａからヒンジ線１３へ対角線上に伸長する。
【００３０】
パッケージは、タバコのようなタバコ工業製品のためのものであってよい。より一般には、パッケージは、任意のタイプのパッケージされた商品のために提供することができる。
【００３１】
図３〜図５Ｂは、図１および図２に示された容器１０の周りに設けられたラミネート包装体２０を備えるパッケージ３０を示す。図３は、最初の開けられていない状態でのパッケージ３０を示す。図４は、開けられた状態でのパッケージ３０を示す。図５Ａ、図５Ｂは、再封された状態でのパッケージ３０を示す。
【００３２】
ラミネート包装体２０は、一緒にラミネートされた柔軟なシート材料の２以上の層を備える。ラミネート包装体２０は、容器１０の周りにしっかり固定されて、有利に、全てのフリーの縁に沿って密封される。例えば、縦面（例えば側面３または背面２）に沿って位置する縁は密封される。パッケージの上面および底面４、５上に位置する包装体の縁２６は密封される。有利には、包装体２０は、容器１０の周りで、気密様式で密封される（すなわち密閉的に密封される）。包装体２０は、パッケージが初めて開けられた後に、容器の周りに残ることが意図される。包装体２０は、ユーザーによって開けることのできるフラップ２１を備える。
【００３３】
包装体２０は、ラミネートの層内に規定される切れ目を有する。使用において、包装体は、切れ目に沿って分離されて、包装体の外側層の部分をフラップ２１として機能させることができる。フラップ２１を持ち上げて、パッケージの蓋１２を開けることができる。フラップ２１は、包装体の内側層に対して再封してパッケージを閉じることができる。二層ラミネート包装体２０の最も単純な場合では、フラップ２１は、ラミネート包装体２０の外側層の部分を備える。ラミネート包装体２０の残りの内側層は、容器１０の前面１と並んだ位置のままである。再封可能な接着剤２３は、領域２３の全てまたは一部に提供されてよい。領域２３内の再封可能な接着剤は、ラミネート包装体２０の外側層が内側層から分離してフラップ２１を形成するのを可能にする。領域２３の接着剤は、パッケージを閉じたときにフラップ２１がラミネートの内側層に対して再封されるのを可能にする。
【００３４】
ラミネート包装体２０は、２つの切れ目を有する。第一の切れ目は、ラミネート包装体２０の第一の（内側）層内に存在するが、ラミネート包装体２０の第二の（外側）層には存在しない。有利に、第一の切れ目は、容器の蓋１２と本体１１との間の接触線１４Ａ、１４Ｂに沿って規定され、または隣接する。このことは、ラミネート包装体２０の内側層が接触線１４Ａ、１４Ｂに沿って分離するのを可能にする。ラミネート包装体２０の内側層の一部は、容器の本体１１の周りに残る。ラミネート包装体２０の内側層の一部は、容器の蓋１２の上にあり、蓋が開けられるときに蓋１２とともに動く。第二の切れ目は、ラミネート包装体２０の第二の層内に存在するが、ラミネート包装体２０の第一の層には存在しない。このことは、蓋が開けられるときに、ラミネート包装体２０の外側層が第二の切れ目に沿って分離するのを可能にする。ラミネート包装体２０の外側層の一部は、容器の本体１１の周りに残る。ラミネート包装体２０の外側層の一部は、容器の蓋１２の上にあり、蓋が開けられるときに蓋１２とともに動く。第二の切れ目は、容器の蓋１２と本体１１との間の接触線の部分１４Ａからオフセットされる。蓋１２の上にある第二の（外側）層の部分は、蓋１２を超えて伸長する周縁部２１を備える。このことは、包装体２０の第二の（外側）層の周縁部２１が、フラップ２１としての役割を果たすのを可能にする。フラップ２１は、図５Ａに示されるように、領域２３内の第一の層に対して再封され得る。図４に示されるハッチング領域では、ラミネート包装体の層の一方のみが存在する。ラミネート包装体の両方の層は、包装体が蓋１２を取り囲むところ、および、包装体が領域２３の以外の本体を取り囲む全ての他の場所に存在する。第二の切れ目は、容器の両側において、第一の切れ目とともに配置され得る。あるいは、第二の切れ目は、容器の両側において、第一の切れ目からオフセットされ得る。
【００３５】
容器の周りに包装体２０がぴったり合っていることは、フラップ２１が持ち上げられたときに、包装体を蓋１２の周りの所定の位置に維持することができる。有利に、包装体２０は、図３および図５に示される領域２８の全部または一部において、蓋１２にしっかり固定される。このことは、蓋１２の周りの包装体２０の部分の間のグリップを改善して、フラップ２１が持ち上がられたときに、包装体２０が蓋１２の周りに確実に残ることを可能にする。それは、フラップ２１が持ち上げられたときに、包装体２０が蓋１２を滑り落ちるのを防ぐ。州の健康安全規則は、任意の包装体が容器にしっかり固定されることを要求してもよい。
【００３６】
有利に、フラップ２１は、信頼性のある再閉を提供するための適切な領域である。図５Ａを参照すると、フラップ２１は、高さ３２を有する。パッケージの前面は、高さ３１を有する。非限定の例において、フラップは、前面の高さの約２５％の最大高を有することができる。他の例では、フラップは、前面の高さの２５％よりも高い、またはそれよりも低い、最大高を有することができる。
【００３７】
図５Ｂは、図５Ａの線Ａ−Ａ’に沿った横断面を示す。これは、フラップ２１が形成される領域内の容器１０および包装体２０の詳細を示す。包装体２０は、第一の（内側）層２０１および第二の（外側）層２０２を備える。第一の切れ目２０６は、第一の層２０１を通るが第二の層２０２を通らない。第二の切れ目２０８は、第二の層２０２を通るが第一の層２０１を通らない。切れ目２０６、２０８は、オフセットされてフラップ２１を形成する。再封可能な接着剤２０４は、フラップ２１が形成される領域において第一の層２０１と第二の層２０２との間に存在する。この例では、第一の切れ目２０６は、容器の蓋１２と本体１１との間の接触線１４Ａと並ぶ。使用において、第二の層２０２のフラップ２１は、切れ目２０８および層２０１、２０２の間の再封可能な接着剤２０４に起因して第一の層２０１から分離可能である。このことは、ユーザーがフラップ２１を持ち上げるのを可能にする。切れ目２０６に起因して、切れ目２０６を超えた領域３６内の包装体の層２０１、２０２は、互いに付着したままである。また、接着剤３５に起因して、および／または、蓋１２の周りの包装体がぴったり合っていることに起因して、フラップ２１の持ち上げは、蓋１２を開けさせる。第二の層２０２のフラップ２１は、第一の層２０１に対して再封することができる。
【００３８】
図５Ｂは、第二の切れ目２０８に隣接する接着剤がない領域２０９の任意選択の特徴を示し、フラップ２１がユーザーによってより簡単に握られるのを可能にする。図５Ｂは、第一の（内側）層２０１と蓋１２との間の接着剤３５を示す。また、接着剤３５は、容器の本体１１と第一の（内側）層２０１との間に存在してもよく（示される）、または、省略してよい。図５Ｂは、明確性を改善するために縮尺どおりでない。例えば、層は、図５Ｂに示されるものと異なる相対的厚みを有してよい。
【００３９】
図６〜図１０は、パッケージの第二の例を示す。図６は、パッケージの内側部分を形成することのできる容器１１０を示す。容器１１０は、前面１０１、後面１０２、側面１０３、底１０４および上面１０５を有する、直方体としての形状である。容器１１０は、第一の容器部分（本体）１１１および第二の容器部分（蓋）１１２を備える。蓋１１２は、この例では異なる構造であり、フラップの形状である。第二の容器部分１１２は、上面１０５と後面１０２との間に容器１１０の縁に沿って配置されたヒンジ線１１３のあたりで、第一の容器部分１１１にヒンジによって連結される。使用において、物品（例えばタバコ）は、第一の容器部分１１１内に保持される。第二の容器部分１１２は、第一の容器部分１１１のためのヒンジ付き蓋を形成する。蓋１１２は、上面１０５の少なくとも一部および容器の前面１０１の切開部を備えるフラップである。図６は、開位置でのヒンジ付き蓋１１２を示す。図７は、閉位置でのヒンジ付き蓋１１２を示す。アクセス開口部１０９は、容器の前面１０１内に規定される。アクセス開口部１０９の外周は、容器の外側端から内側にセットされる。容器の前面１０１は、前面１０１の側端とアクセス開口部１０９の外周との間に、肩部分１２８を備える。同様に、容器の上部１０５は、上部１０５の側端とアクセス開口部１０９の外周との間に、肩部分１２９を備える。これらの肩部分１２８、１２９は、容器の両側に存在する。使用において、肩部分１２８、１２９は、包装体１２０を再封するときに、支持表面を提供する。蓋１１２は、接触線１１４Ａ、１１４Ｂ、１１４Ｃに沿って、第一の容器部分と合う。閉位置では、蓋１１２は、接触線１１４Ａ、１１４Ｂ、１１４Ｃに沿って本体１１１に対して境を接する。接触線の部分１１４Ａ、１１４Ｂは、前面１０１に沿って伸長する。別の部分の接触線１１４Ｃは、上面１０５に沿って、前面１０１からヒンジ線１１３へ伸長する。
【００４０】
図８〜図１０は、図６および図７に示される容器１０の周りに設けられたラミネート包装体１２０を備えるパッケージ１３０を示す。図８は、最初の開けられていない状態でのパッケージ１３０を示す。図９は、開けられた状態でのパッケージ１３０を示す。図１０は、再封された状態でのパッケージ１３０を示す。
【００４１】
ラミネート包装体１２０は、一緒にラミネートされた柔軟なシート材料の２以上の層を備える。ラミネート包装体１２０は、容器１１０の周りにしっかり固定されて、有利に、全てのフリーの縁に沿って密封される。包装体１２０は、ユーザーによって開けることのできる、および再封される、部分１２１を備える。
【００４２】
包装体１２０は、ラミネートの層内に規定される切れ目を有する。二層のラミネート包装体１２０の最も単純な場合では、フラップ１２１は、ラミネート包装体１２０の外側層の部分を備える。ラミネート包装体１２０の残りの内側層は、容器１１０の前面１０１と並んだ位置のままである。再封可能な接着剤は、領域１２３の全てまたは一部において提供され得る。領域１２３内の接着剤は、ラミネート包装体１２０の外側層が内側層から分離してフラップ１２１を形成するのを可能にする。領域１２３内の接着剤は、パッケージが再閉されたときに、ラミネートの外側層をラミネートの内側層に対して再封するのを可能にする。
【００４３】
ラミネート包装体１２０は、２つの切れ目を有する。第一の切れ目は、ラミネート包装体１２０の第一の（内側）層内に存在するが、包装体１２０の第二の（外側）層には存在しない。有利に、第一の切れ目は、容器の蓋１１２と本体１１１との間の接触線１１４Ａ、１１４Ｂ、１１４Ｃに沿って規定され、または隣接する。このことは、ラミネート包装体１２０の内側層が接触線１１４Ａ、１１４Ｂ、１１４Ｃに沿って分離するのを可能にする。ラミネート包装体１２０の内側層の一部は、容器の本体１１１の周りに残る。ラミネート包装体１２０の内側層の一部は、容器の蓋１１２の上にあり、蓋が開けられると蓋１１２とともに動く。第二の切れ目は、ラミネート包装体１２０の第二の（外側）層内に存在するが、ラミネート包装体１２０の第一の（内側）層には存在しない。ラミネート包装体１２０の外側層の一部は、容器の本体１１１の周りに残る。ラミネート包装体１２０の外側層の一部は、容器の蓋１１２の上にあり、蓋が開けられると蓋１１２とともに動く。第二の切れ目は、接触線１１４Ａ、１１４Ｂ、１１４Ｃからオフセットされる。このことは、包装体１２０の第二の（外側）層が蓋１１２を超えて伸長する包装体の周縁部を提供する。周縁部１２１は、第一の（内側）層から分離可能である。図９に示されるハッチング領域では、ラミネート包装体の層の一方のみが存在する。周縁部は、領域１２３Ａ、１２３Ｂ、１２３Ｃにおいて第一の層に対して再封することができ：領域１２３Ａは、アクセス開口部１０９のフロントリップの下にあり；領域１２３Ｂは、前面のアクセス開口部１０９と並んで、領域１２３Ｃは、上面のアクセス開口部１０９と並ぶ。これらの領域は、アクセス開口部１０９の外周を完全に取り囲み、したがって、包装体のより効果的な再封を提供する。図１０の包装体を通る横断面は示されていないが、図５Ｂに示したのと同じ特徴を有する。
【００４４】
有利に、包装体１２０は、包装体が蓋１１２の上にある領域において蓋１１２にしっかり固定される。このことは、周縁部が持ち上げられたときに、包装体１２０が蓋１１２に連結されたままであるのを可能にする。州の健康安全規則は、任意の包装体が容器にしっかり固定されることを要求してもよい。
【００４５】
上述の任意の例において、容器は、カード、ポリマー材料、または任意の他の適切な材料で形成されてよい。材料は、生分解性および／または堆肥可能であってよい。
【００４６】
上述の任意の例において、パッケージは、タバコのようなタバコ工業製品のためのものであってよい。より一般には、パッケージは、任意のタイプのパッケージされた商品のために提供することができる。
【００４７】
上述の任意の例において、第一の切れ目および／または第二の切れ目は、レーザー形成された切れ目、または、ダイカッターのような別のタイプの切断機によって形成された切れ目であってよい。
【００４８】
上述の任意の例において、第一の切れ目は、包装体の内側層を完全に通って伸長する切れ目であってよい。あるいは、第一の切れ目は、ミシン目の入った線、スコア線または狭間線のような、弱線であってよい。弱線に沿って内側層を完全に分離または切断するために、開力が必要とされる。これは、タンパリングの証拠を提供することができる。ミシン目の入った切れ目では、切れ目は、切れ目が層を完全に通って伸長するミシン目の入った部分、および、層が無傷の切れていない部分を含む。スコアまたはケガキ線では、切れ目は、層を部分的に通って伸長する。狭間線では、切れ目は、第一の切り込み深さと第二の切り込み深さとを交互に繰り返す。第一の深さは、全く切断されない一部の部分および切れ目が層の中に部分的に伸長する一部の部分を線が有するように、ゼロであってよい。
【００４９】
第二の切れ目は、包装体の外側層を完全に通って伸長する切れ目であってよい。あるいは、第二の切れ目は、ミシン目の入った線、スコア線または狭間線のような弱線であってよい。フラップが最初に持ち上げられたときに弱線に沿って外側層に完全に切断するために、開力が必要とされる。このことは、任意のテンパリングが生じている証拠を提供する。
【００５０】
このパッケージの利点は、パッケージ初めて開けられたあとに、外側の包装体２０、１２０およびフラップ２１、１２１が中身に保護を提供し続けるので、製品を新鮮に保つのを助けることができることである。容器１０、１１０の周りに包装体２０、１２０を提供することの利点は、容器は、パッケージの外部をもはや形成しないため、より単純でより低コストの物品にすることができることである。例えば、容器の外部の仕上げは、より単純でより低コストの仕上げ（例えば、光沢仕上げの代わりに艶消仕上げ）であってよく、印刷される必要はない。
【００５１】
第一の（内側）層２０１および第二の（外側）層２０２を備える、二層ラミネートの例を図１１Ａに示す。第一の層２０１は、接着剤２０４によって第二の層２０２に接着される。第一の層２０１は、例えば、延伸ポリプロピレン（ＯＰＰ）のようなポリマー材料、ホイルまたは金属化ポリマーで形成され得る。第二の層２０２は、第一の層と同様の材料、または異なる材料で形成され得る。金属層は、鮮度を維持するための湿度バリアの提供において特に有利である。再封可能なフラップ２１は、少なくとも領域２１において第二の層２０２を第一の層２０１に接着するための感圧接着剤（ＰＳＡ）のような再封可能な接着剤を用いることにより、ラミネートパッケージ内に作ることができる。感圧接着剤は、フラップ２１が第一の層２０２の上にある領域２３内で局所的に、これらの層２０１、２０２の間で用いることができ、または、これらの層の間で一般に用いることができる。
【００５２】
図１１Ｂおよび図１１Ｃは、それぞれ、層２０１および２０２内に形成された切れ目を示す。第一の層２０１は、包装体２０の内側を形成し、第二の層２０２は、包装体２０の外側を形成する。実線は、その層内に形成された切れ目を示す。破線は、他の層において形成された切れ目を示す。第一の切れ目２０５、２０６は、第一の層２０１において形成される。切れ目の部分２０５は、組み立てられたパッケージにおいて、容器の本体１１と蓋１２との間の接触線の部分１４Ｂと並んでいる。弱線の部分２０６は、組み立てられたパッケージにおいて、容器の本体１１と蓋１２との間の接触線の部分１４Ａと並んでいる。第一の切れ目は、組み立てられたパッケージにおいて、蓋の上にある第一の領域２３１を規定する。第二の切れ目２０７、２０８は、第二の層２０２内に形成される。第二の切れ目の部分２０７は、容器の本体１１と蓋１２との間の接触線の部分１４Ｂと並んでよく、またはそこからわずかにオフセットされてそれと平行であってよい。第二の切れ目２０７、２０８は、組み立てられたパッケージにおいて、蓋の上にあり、蓋を超えて伸長する周縁部（フラップ）２１を含む第一の領域２３２を規定する。第二の切れ目の部分２０８は、組み立てられたパッケージにおいて、容器の本体１１と蓋１２との間の接触線の部分１４Ａからオフセットされる。第一の切れ目２０６からの第二の切れ目２０８のこのオフセットは、第二の層２０２のフラップ２１を規定する。切れ込み２０６、２０８は、フラップ２１の上縁に沿って残りのシート２０２と一体であるラミネート材料のフラップ２１を形成する。層２０１、２０２の間の領域２３における再封可能な接着剤は、再封可能な密封をフラップ２１に提供する。
【００５３】
切れ目２０５、２０７は、互いからわずかにオフセットして、パッケージの最初の開封前のパッケージの密封完全性を維持することができる。切れ目のオフセットは、第二の層２０２が第一の層２０１の上にある周縁部を提供し、第一の層２０１に対して再封することができる。容器の側面の切れ目２０５、２０７は、容器の前面の切れ目２０６、２０８と比べてさらにより少ない量でオフセットされる。切れ目２０、２０７は、それらのそれぞれの層（単数または複数）を通って完全に切らない弱線であってよい。このことは、パッケージの最初の開封前のパッケージの密封完全性を維持するのをさらに助けることができる。
【００５４】
代替の配置では、切れ目２０５、２０７は並ぶことができ、周縁部は存在しない。切れ目２０５、２０７は、それらのそれぞれの層を通して完全に切らない弱線であり、それにより、パッケージの最初の開封前のパッケージの密封完全性を維持する。切れ目２０５、２０７は、容器の側面のみに、または側面および前面に、弱線として形成することができる。
【００５５】
同一の原理を適用して、図６〜図１０のパッケージのための包装体１２０が得られることが理解されよう。オフセット切れ目は、蓋を超えて伸長する包装体の第二の層内に周縁部１２１を提供する。
【００５６】
図１２Ａ〜図１２Ｃは、第一の（内側）層３０１、第二の（中間）層３０２および第三の（外側）層３０３を備える、三層ラミネート包装体を示す。図１１Ａと同様に、第一の層３０１は、接着剤３０４によって第二の層３０２に接着される。第二の層３０２は、接着剤３０５によって第三の層３０３に接着される。１つまたは複数の層は、金属ホイル、または金属化ポリマー層であってよい。
【００５７】
図１２Ｂおよび図１２Ｃは、層３０１〜３０３内に形成された切れ目を示す。３つの層のうち２つは、同一の切れ目を有する。層３０１は、包装体２０の内側を形成し、層３０３は、包装体２０の外側を形成する。切れ目２０５、２０６は、少なくとも層３０１内に形成される。切れ目２０７、２０８は、少なくとも層３０３内に形成される。
【００５８】
中間層３０２は、層３０１または層３０３と同一の切れ目を有してよい。第一の例では、層３０１は、図１２Ｂに示される切れ目２０５、２０６を有し、層３０２、３０３のペアは、図１２Ｃに示される切れ目２０７、２０８を有する。再封可能な接着剤は、異なる切れ目を有する層３０１と３０２との間の領域２３内に提供されて、再封可能な密封をフラップ２１に提供する。第二の例では、層３０１、３０２は、図１２Ｂに示される同一の切れ目２０５、２０６を有し、層３０３は、図１２Ｃに示される切れ目２０７、２０８を有する。再封可能な接着剤は、異なる切れ目を有する層３０２と３０３との間の領域２３内に提供されて、再封可能な密封をフラップ２１に提供する。第一の例は、フラップ２１が層３０２および３０３のペアを有するので、フラップ２１に追加の厚みを提供する。
【００５９】
任意の実施態様の領域２３に適用される接着剤（例えば感圧接着剤）は、接着剤のない領域を残すようにパターン化して、フラップをより開けやすくさせ得る。図１１Ｂでは、領域２０９は、接着剤フリーで残すことができる。このことは、層２０２がより簡単に持ち上げられてフラップ２１を引き開けるために用いられるのを可能にする。同様に、図１２Ｂでは、領域２０９は、接着剤フリーで残すことができる。このことは、層３０２および３０３、または層２０３を備えるフラップがより簡単に持ち上げられて、フラップ２１を引き開けるために用いられるのを可能にする。三層の例では、永久的な接着剤を、分離する必要のない層の間で用いることができる。
【００６０】
理解されるように、切り込みの形およびデザインは、それぞれのデザインの美的および機能的要求によって変化し得る。例えば、異なる形状がデザインによって利用されてよく、または、切れ込みの形状および曲率を、フラップが開けられるときの材料の引裂を避けるために選択してよい。切れ込みのデザインがより複雑になる、および／または、切れ目の寸法が増大すると、開封を形成するのにかかる時間が増大し得る。
【００６１】
上記の実施態様は、二層および三層ラミネートに関して説明したが、理解されるように、任意の数の層を用いてよい。ラミネート材料の層は、所望の機械的および触覚的性能を与えるように選択してよい。例えば、より厚い材料は、フラップを開けるユーザーにより良い感触を与え得る。パッケージの異なる態様は、適切な材料を選択するためにデザイン妥協案を要求する、異なる特徴を要求してよい。例えば、パッケージの本体は、好ましくは、より固いパッケージを与えるためにより厚い材料を有してよく、一方で、フラップは、好ましくは、閉じているのを開けるのをより触覚性にさせるためにより薄い材料を用いてよい。材料の相対的な厚さは、製品の性能にも影響し得る。例えば、金属層を厚くすることは、プラスチック層を厚くすることとは異なる効果を有する。
【００６２】
ＰＳＡは、適切な力の適用によってフラップが開くのも可能にしながら、閉位置においてフラップ２１を保持するのに十分な接着が形成されるように選択される。ＰＳＡを用いて、フラップ２１を保持する領域２３から離れた他の領域において層２０１および２０２を接着することができる。他の領域におけるＰＳＡ接着の強度は、フラップ領域２３に用いられる接着の強度と比べて改変することができる。有利に、他の領域における接着は、領域２３における接着よりも高い強度であり、使用中の層間剥離を防ぐことができる。要求される接着は、適切な接着剤の選択によって、および／または、利用されるその接着剤の量によって、達成され得る。
【００６３】
例示された例は、標準的なサイズおよび形状のタバコ箱であるが、パッケージは、任意の量の製品のためにデザインすることができ、例示された例に示されるサイズおよび／または形状に制限されない。容器の本体と比較した蓋のサイズは、必要に応じて改変することができる。パッケージは、タバコ製品のためのパッケージに制限されず、例えば、製菓または食料品のような任意のタイプの製品のためのパッケージに適用することができる。
【００６４】
図１３は、上述の包装体を形成するためのラミネート材料の巻き取り紙７０を示す。巻き取り紙７０は、連続的な長さのラミネート材料を含む。巻き取り紙７０は、線７２に沿って切ることによってピース７１に分割することができる。各ピース７１を用いて包装体２０を形成する。巻き取り紙は、フラップ２１を規定する切れ目２０５、２０６、２０７、２０８を有する。典型的に、巻き取り紙の外側表面は、標識のしるしが印刷されている。
【００６５】
ここで、製品をパッケージする方法が、図１４に関して説明される。ブロック４０１では、容器が提供される。容器は、本体および蓋を備える。容器は、本体と蓋との間に接触線を有する。ブロック４０２では、容器に、タバコ工業製品（例えばタバコ）または食料品のような製品が詰められる。ブロック４０３では、ラミネート包装体が容器の周りに設けられる。包装体は、包装体内の弱線が、容器の蓋と本体との間の接触線に登録されるように設けられる。包装体２０の縁は密封される。ブロック４０３では、包装体２０は、容器１０に対して密封される。このことは、様々な方法で達成することができる。第一の方法では、接着剤が容器１０の外面（例えば蓋の前面１）に適用されて、包装体は、それが設けられると容器に付着する。第二の方法では、包装体が容器１０の周りに設けられる前に、接着剤が包装体２０の内側表面に適用されて、包装体は、それが設けられると容器に付着する。第三の方法では、包装体２０は、事前に接着剤の層が提供される。接着剤の層は、包装体の保管中は、カバーシートにより覆われてよい。包装体が容器に設けられたら、接着剤を露出するためにカバーシートが取り除かれて、包装体は、それが容器の周りに設けられると容器に付着する。
【００６６】
上述の利益および利点は、一実施態様に関し得て、または、いくつかの実施態様に関し得ることが理解されよう。実施態様は、任意または全ての述べられた問題を解決するものまたは任意または全ての述べられた利益および利点を有するものに制限されない。
【００６７】
「１つの（ａｎ）」物品に対する任意の言及は、１つまたは複数のそれらの物品を指す。用語「含む（ｃｏｍｐｒｉｓｉｎｇ）」は、本明細書において、特定された方法のブロックまたはエレメントを含むが、そのようなブロックまたはエレメントは排他的なリストを含まず、そして、方法または器具は、追加のブロックまたはエレメントを含み得ることを意味するために用いられる。
【００６８】
本明細書に記載される方法のステップは、任意の適切な順序で、または適切な場合は同時に行なってよい。加えて、個々のブロックは、本明細書に記載される要旨の主旨および範囲を逸脱せずに、任意の方法から除かれてよい。上述の任意の例の態様は、求められる効果を失わずに、記載される任意の他の例の態様と組み合わせてさらなる例を形成してよい。
【００６９】
好ましい実施態様の上記の説明は、単に例として提供されること、および、様々な改変が当業者によってなされ得ることが理解されよう。様々な実施態様が、特定の特殊性の程度で、または、１つまたは複数の個々の実施態様に関して上述されたが、当業者は、本発明の主旨または範囲を逸脱せずに、開示された実施態様に対して非常に多くの変更をすることができる。
【図１】
2018500250.tif 000003
【図２】
2018500250.tif 000004
【図３】
2018500250.tif 000005
【図４】
2018500250.tif 000006
【図５Ａ】
2018500250.tif 000007
【図５Ｂ】
2018500250.tif 000008
【図６】
2018500250.tif 000009
【図７】
2018500250.tif 000010
【図８】
2018500250.tif 000011
【図９】
2018500250.tif 000012
【図１０】
2018500250.tif 000013
【図１１Ａ】
2018500250.tif 000014
【図１１Ｂ】
2018500250.tif 000015
【図１１Ｃ】
2018500250.tif 000016
【図１２Ａ】
2018500250.tif 000017
【図１２Ｂ】
2018500250.tif 000018
【図１２Ｃ】
2018500250.tif 000019
【図１３】
2018500250.tif 000020
【図１４】
2018500250.tif 000021
【国際調査報告】
2018500250.tif 000022
2018500250.tif 000023
2018500250.tif 000024